(57)【要約】【書類】【課題】日常生活の中で、テーブルや衝立として身近に置いておくことができる防護盾付きテーブルを提供する。【解決手段】板（１）の上下端部に、キャップ（２）（３）を取り付けてベルト（５）で左右方向に湾曲させて固定し、湾曲した板（１）の内側の中央部に取手（４）の一端を取り付け、天板（６）の裏側にフレーム（７）を取り付け、前記フレーム（７）を取手（４）に取り付け、取手（４）に板（１）の下側の両端部で支える取手ステー（８）を固定して、取手（４）に脚（９）を設ける。【選択図】          図１
2006029755.tif 000002
【特許請求の範囲】
【請求項１】
板（１）の上下端部に、キャップ（２）（３）を取り付けてベルト（５）で左右方向に湾曲させて固定し、湾曲した板（１）の内側の中央部に取手（４）の一端を取り付け、天板（６）の裏側にフレーム（７）を取り付け、前記フレーム（７）を取手（４）に取り付け、取手（４）に板（１）の下側の両端部で支える取手ステー（８）を固定して、取手（４）に脚（９）を設けた防護盾付きテーブルである。
【請求項２】
棒状の取手（４）に棒状のフレーム（７）を裏側に取り付けた天板（６）を取り付けた請求項１記載の防護盾付きテーブルである。
【請求項３】
角柱状の取手（２６）に天板（６）を取り付けた請求項１記載の防護盾付きテーブルである。
【請求項４】
板（１）の上下端部に側面コ字状のキャップ（２）（３）を取り付けた請求項１、２、３記載の防護盾付きテーブルである。
【請求項５】
線材の中央で三角形状に曲げて両端部にキャップ（２３）を差し込み三角形状の面に対して垂直方向に頂点部分を折り曲げた取手ステー（８）を取り付けた請求項１、２、３、４記載の防護盾付きテーブルである。
【請求項６】
キャップ（３）に穴を開け、ゴム脚を取り付けた請求項１２、３、４、５記載の防護盾付きテーブルである。
【請求項７】
板（１）と板（２１）の２枚を重ね合わせ、上下端部にキャップ（２）（３）を取り付けた請求項１、２、３、４、５、６記載の防護盾付きテーブルである。
【請求項８】
板（１）と板（２２）の２枚を重ね合わせ、その間にフィルム（２３）を挟み込み、上下端部にキャップ（２）（３）を取り付けた請求項１、２、３、４、５、６記載の防護盾付きテーブルである。
【請求項９】
ベルト（５）の一方の端に、ベルト長さ調節具（１０）を取り付け、板（１）を左右方向に湾曲させて固定する位置にホック（１１）を取り付けた請求項１、２、３、４、５、６、７、８記載の防護盾付きテーブルである。
【発明の詳細な説明】
【発明の詳細な説明】
【技術分野】
【０００１】本発明は、防護盾の取手に天板を取り付け、取手に脚を設けた防護盾付きテーブルに関するものである。
【背景技術】
【０００２】従来、防護盾は、窓付きの金属板やプラスチック板を左右方向に湾曲させ、取手を付設して構成されていて、防護盾とテーブルは別々になっていました。
【発明が解決しようとする課題】
【０００３】これは、次のような欠点がありました。日常生活の中で、何も機能することがない大きな防護盾を、暴漢や暴徒などの暴力的な加害者が突然、家や店鋪などに押し入って来た時の為だけに、身近で、すぐに使える場所に置いておくことはできませんでした。
本発明は、以上のような欠点を失くすためになされたものである。
【課題を解決するための手段】
【０００４】上記目的を達成するために、本発明の防護盾付きテーブルは、板（１）の上下端部に、キャップ（２）（３）を取り付けてベルト（５）で左右方向に湾曲させて固定し、湾曲した板（１）の内側の中央部に取手（４）の一端を取り付け、天板（６）の裏側にフレーム（７）を取り付け、前記フレーム（７）を取手（４）の上側に取り付け、取手（４）に板（１）の下側の両端部で支える取手ステー（８）を固定して、取手（４）に脚（９）を設けたものである。
【０００５】天板（６）を角柱状の取手（２６）に取り付け、フレーム（７）とネジ（１４）をなくして、部品点数を減らす。
【０００６】板（１）の上下端部に側面コ字状のキャップ（２）（３）を取り付ける。
【０００７】取手の左右の揺れを押さえるために、線材の中央で三角形状に曲げて両端部にキャップ（２３）を差し込み三角形状の面に対して垂直方向に頂点部分を折り曲げた取手ステー（８）を取手（４）に固定する。
【０００８】キャップ（３）に穴を開けて、取手ステー（８）の抜け防止と床の傷つけ防止用のゴム脚（２５）を取り付ける。
【０００９】板を衝立としても使えるように、板（１）（２１）を２枚重ねたり、板（１）（２２）を２枚重ねた間にフィルム（２３）を挟み込む。
【００１０】板（１）をベルト（５）で左右方向に湾曲させて固定し、フレーム（７）を取り付けた天板（６）を取手（４）に取り付ける。
【００１１】また、ベルトの固定が簡単にできるようにベルト長さ調節具（１０）とホック（１１）を取り付けたベルト（５）で板（１）を左右方向に湾曲させて固定する。本発明は以上の構成よりなる防護盾付きテーブルである。
【発明を実施するための最良の形態】
【００１２】発明の実施の形態を実施例にもとづき図面を参照して説明する。
図１において、透明のプラスチック材から形成する板（１）の上下端部にプラスチック材から形成する側面コ字状のキャップ（２）（３）を取り付け、板（１）の縦側中央部に、ベルト長さ調節具（１０）とホック（１１）を取り付けた帯状のベルト（５）をまわして、板（１）とキャップ（２）（３）を左右方向に湾曲させて固定する。
湾曲した板（１）の内側の中央部に縦に設けた２ケ所の穴（１７）に木製で棒状の取手（４）の一端にネジ穴（２８）を設けて、２本のネジ（１３）で取り付けて、取手（４）に設けた溝（２０）にベルト（５）を掛ける。【００１３】図７のように天板（６）の裏側の中央に金属製の角棒のフレーム（７）に穴（２７）を開けて天板（６）の裏側に設けたネジ穴（３１）にネジ（１４）で取り付ける。この時フレーム（７）の寸法は、図４に示すように取手（４）の上側に取り付けた時に取手（４）を手で握れる寸法とする。また、天板（６）の大きさは図４と図５と図６に示すように、横幅は湾曲した板（１）の幅より短く、奥行は防護盾として取手（４）を握った時に、天板（６）の一部が身体の腹部か胸部にあたる大きさとする。その時、図２のように身体側の取手（４）の端面が天板（６）から突出しないようにフレーム（７）の端面と合わせる。
図２と図６のように、天板（６）の下側の角２箇所が湾曲した板（１）にあたり湾曲した板（１）の下側の両端を結んだ線と、フレーム（７）の板（１）側の端面との中間で取手（４）に穴（１８）をあけ、天板（６）の付いたフレーム（７）をワッシャー（１５）（１６）とネジ（１２）でフレーム（７）に設けたネジ穴（３０）に取り付ける。【００１４】また、同時に図１と図２と図５のように一本の金属製の線材を、中心で左右対称の三角形状に曲げ両端部にゴム材で筒状のキャップ（２４）を差し込み、三角形状の面に対して垂直方向に頂点部分を折り曲げた取手ステー（８）を、折り曲げた頂点部分を板（１）側に向けて両端部のキャップ（２４）を図１２のように板（１）とキャップ（３）の間に挟み込みワッシャー（１５）とワャシャー（１６）で頂点部分を挟み、ネジ（１２）で取手（４）に固定して取手（４）が左右に揺れるのを押さえる。【００１５】図１と図２のように取手（４）に、テーブルの脚として支えになる位置に脚（９）を設ける。取手（４）に穴（１９）をあけて、上端にネジを設けた脚（９）を穴（１９）にさし込み、フレーム（７）に設けたネジ穴（２９）で固定する。【００１６】図８に示した実施例では、フレーム（７）を使わずに角柱状で側面Ｌ型状の取手（２６）に直接、天板（６）をネジ（３２）とワッシャー（１５）（１６）と脚（９）で取り付ける。【００１７】図９に示した実施例では、板（１）（２１）の２枚を重ね合わせる。その時、内側の板（１）は２枚の板厚分の横寸法を短くして、左右に湾曲させた時に２枚の板を揃え、板の間には紙や布や写真を挟める。【００１８】図１０に示した実施例では、板（１）（２２）の２枚を重ね合わせ、その間に紫外線を遮断するフィルム（２３）を挟み込む。【００１９】図１１に示した実施例では、ベルト（５）の一端をベルト長さ調節具（１０）に廻し入れて、出てきた部分をベルト（５）にリベットや糸で縫い付けて取り付けベルト（５）で板（１）を左右方向に湾曲させて固定する位置にホック（６）を取り付ける。【００２０】図１３に示した実施例では、キャップ（３）の床面側に穴を開け、帯状のゴムを通して両端が穴から抜けない大きさの結び目を作り、取手ステー（８）の抜け防止と床の傷つけ防止用のゴム脚（２５）を取り付ける。
【発明の効果】
【００２１】本発明は、以上説明したように構成されているので以下に記載されるような効果を奏する。
【００２２】防護盾にテーブルを取り付けることにより日常生活の中で、テーブルとして身近に置いて、すぐに防護盾として使えるようになり、暴漢や暴徒などの暴力的な加害者の突然の攻撃を避けることができる。
【００２３】部屋の中で身近に置けて、エアーコンディショナーから出される風が直接、身体にあたるのを防ぎ、また屋外から入って来る紫外線を、２枚の板の間に紫外線をカットするフィルムを挟むことで身体にあたるのを防ぐことができる。
【図面の簡単な説明】
【００２４】
【図１】    防護盾付きテーブルの分解斜視図である。
【図２】    防護盾付きテーブルの側面図である。
【図３】    防護盾付きテーブルの斜視図である。
【図４】    防護盾付きテーブルの実施例を示す使用図である。
【図５】    防護盾付きテーブルの実施例を示す使用図である。
【図６】    防護盾付きテーブルの実施例を示す使用図である。
【図７】    板とフレームと取手と取付部品の分解斜視図である。
【図８】    板と取手と取付部品の分解斜視図である。
【図９】    ２枚の板とキャップの取付部の実施例を示す縦断面図である。
【図１０】    ２枚の板とフィルムとキャップの取付部の実施例を示す縦断面図である。
【図１１】    ベルト長さ調節具とベルトとホックの斜視図である。
【図１２】    取手ステーの取付部の実施例を示す縦断面図である。
【図１３】    ゴム脚取付部の実施例を示す縦断面図である。
【図１４】    ベルト長さ調節具、ベルト、ホックの実施例を示す使用図である。
【符号の説明】
１    板
２    キャップ
３    キャップ
４    取手
５    ベルト
６    天板
７    フレーム
８    取手ステー
９    脚
１０    ベルト長さ調節具
１１    ホック
１２    ネジ
１３    ネジ
１４    ネジ
１５    ワッシャー
１６    ワッシャー
１７    穴
１８    穴
１９    穴
２０    溝
２１    板
２２    板
２３    フィルム
２４    キャップ
２５    ゴム脚
２６    取手
２７    穴
２８    ネジ穴
２９    ネジ穴
３０    ネジ穴
３１    ネジ穴
３２    ネジ
３３    リベット
３４    穴
３５    穴
３６    溝
【図１】
2006029755.tif 000003
【図２】
2006029755.tif 000004
【図３】
2006029755.tif 000005
【図４】
2006029755.tif 000006
【図５】
2006029755.tif 000007
【図６】
2006029755.tif 000008
【図７】
2006029755.tif 000009
【図８】
2006029755.tif 000010
【図９】
2006029755.tif 000011
【図１０】
2006029755.tif 000012
【図１１】
2006029755.tif 000013
【図１２】
2006029755.tif 000014
【図１３】
2006029755.tif 000015
【図１４】
2006029755.tif 000016